(57)【特許請求の範囲】
【請求項１】
並設された３本の架空電線の中線を挟み込む対をなす挟持アームと、この対をなす挟持アームの外側に配置され、前記３本の架空電線の外線のそれぞれを外側からあてがう対をなすサイドアームとを備えた一対のクリップと、
前記一対のクリップ間に配設され、前記中線の周面を両側から覆うように敷設可能であると共に、前記中線に沿って伸縮可能である絶縁性の中線用防具本体と、前記外線の周面を少なくとも外側から覆うように敷設可能であると共に、前記外線に沿って伸縮可能である絶縁性の外線用防具本体と、
前記一対のクリップ間に設けられ、前記防具本体の伸縮方向の動きをガイドする伸縮自在のガイド部材と
を具備することを特徴とする伸縮式絶縁防護具。
【請求項２】
前記サイドアームは、前記挟持アームと一体に形成され、
前記中線用防具本体は、一方のクリップの対をなす挟持アームと他方のクリップの対をなす挟持アームとの間に配設されて前記中線の周面を両側から覆う折り畳み可能な中線用シート部材によって構成され、
前記外線用防具本体は、一方のクリップの一方のサイドアームと他方のクリップの一方のサイドアームとの間に配設されて前記外線の一方の周面を外側からのみ覆う折り畳み可能な第1の外線用シート部材と、前記一方のクリップの他方のサイドアームと前記他方のクリップの他方のサイドアームとの間に配設されて前記外線の他方の周面を外側からのみ覆う折り畳み可能な第２の外線用シート部材とによって構成される
ことを特徴とする請求項１記載の伸縮式絶縁防護具。
【請求項３】
前記サイドアームは、これに隣接する挟持アームと共に外線を挟み込むものであり、
前記中線用防具本体は、一方のクリップの対をなす挟持アームと他方のクリップの対をなす挟持アームとの間に配設されて前記中線の周面を両側から覆う折り畳み可能な中線用シート部材によって構成され、
前記外線用防具本体は、一方のクリップの対をなすサイドアームの一方及びこれに隣接する一方の挟持アームと他方のクリップの対をなすサイドアームの一方及びこれに隣接する一方の挟持アームとの間に配設されて前記外線の一方の周面を両側から覆う折り畳み可能な第1の外線用シート部材と、一方のクリップの対をなすサイドアームの他方及びこれに隣接する他方の挟持アームと他方のクリップの対をなすサイドアームの他方及びこれに隣接する他方の挟持アームとの間に配設されて前記外線の他方の周面を両側から覆う折り畳み可能な第２の外線用シート部材とによって構成される
ことを特徴とする請求項１記載の伸縮式絶縁防護具。
【請求項４】
前記ガイド部材は、前記シート部材の表裏を縫うように挿通し、前記クリップの挟持アーム及びサイドアームに固定される複数の伸縮棒により構成されることを特徴とする請求項２又は３に記載の伸縮式絶縁防護具。
【発明の詳細な説明】
【技術分野】
【０００１】
この発明は、配電設備の引下げ線や架線などの架空電線に取り付けられて、活線工法による作業時の感電、短絡事故などを有効に防止する伸縮式絶縁防護具に関し、特に、３線を同時に防護することが可能な伸縮式絶縁防護具に関する。
【背景技術】
【０００２】
従来より架空電線などの配電設備を工事する際には、電線が通電した状態において工事を行う活線工法が採用されているが、このような作業においては、絶縁シートを架空電線の所要箇所に予め被覆させておくことで、作業者が作業中に感電したり、誤って短絡させたりするなどの不測の事故の発生を防止するようにしている。
【０００３】
たとえば、図６に示すように、高圧架空線１００より分岐して下方のトランス１０１などに接続させる高圧引下げ線１０２おいては、引下線コネクタ１０３の取り付け、取り外し作業の際に、十分な絶縁状態を確保するために、３線の全てに絶縁防護具（絶縁シート）１０４を取り付ける作業が必要となり、所要の幅と長さを備えた絶縁シート１０４をそれぞれの引下げ線１０２に沿った仮想線で折り畳んで引下げ線１０２を挟み込み、その後、絶縁シート１０４の両端部（上下端部）をクリップ１０５で挟持することで絶縁シート１０４を引下げ線１０２に固定するようにしている（特許文献１等参照）。
【先行技術文献】
【特許文献】
【０００４】
【特許文献１】特開平１０―２７１６２８号公報
【発明の開示】
【発明が解決しようとする課題】
【０００５】
しかしながら、上述のような絶縁防護具（絶縁シート）においては、取り付ける電線の長さに応じて、絶縁シートの長さを使い分ける必要があり、絶縁シートが長い場合には、複数人によって取り付け作業を行わなければならなくなるため作業が煩雑化すると共に、防護具自体を落下させてしまうなどの不都合がある。また、電線の長さが長い場合には、絶縁シートの長さが足りず、同図に示されるように、複数枚の絶縁シートを重ねて取り付けなければならなくなり、絶縁シートを重ねて取り付ける場合においては、隣り合う絶縁シート間に隙間ができて確実な絶縁性を確保することができなくなる不都合が懸念される。
特に、３線全てに絶縁シートを取り付ける場合においては、それぞれの引下げ線に対して同様の作業を繰り返す必要があり、作業効率が悪いものであった。
【０００６】
本発明は、係る事情に鑑みてなされたものであり、３本の架空電線への防具の取り付け作業を一括して行うことができ、取り付ける電線の長さに応じて防具本体の長さを調節することが可能な伸縮式絶縁防護具を提供することを主たる課題としている。また、防具本体の長さを調節するにあたり、防具本体のスムーズな動きを確保して容易に作業を行えるようにすることをも課題としている。
【課題を解決するための手段】
【０００７】
上記課題を達成するために、本発明にかかる伸縮式絶縁防護具は、並設された３本の架空電線の中線を挟み込む対をなす挟持アームと、この対をなす挟持アームの外側に配置され、前記３本の架空電線の外線のそれぞれを外側からあてがう対をなすサイドアームとを備えた一対のクリップと、前記一対のクリップ間に配設され、前記中線の周面を両側から覆うように敷設可能であると共に、前記中線に沿って伸縮可能である絶縁性の中線用防具本体と、前記外線の周面を少なくとも外側から覆うように敷設可能であると共に、前記外線に沿って伸縮可能である絶縁性の外線用防具本体と、前記一対のクリップ間に設けられ、前記防具本体の伸縮方向の動きをガイドする伸縮自在のガイド部材とを具備することを特徴としている。
【０００８】
このため、このような絶縁防護具を架空電線の所要箇所に取り付けるには、絶縁防護具を縮めた状態にしておき、一対のクリップを開いて架空電線の中線を対をなす挟持アームの間に挿入すると共に、両側の外線を挟持アームとサイドアームとの間にそれぞれ挿入し、クリップを閉じる。すると、中線は対をなす挟持アームによって挟持され、それぞれの外線は、サイドアームによって外側からあてがわれることになる。
【０００９】
その後、架空電線の絶縁したい側（防具本体を伸ばしたい側）のクリップを開いてクリップの固定状態を解除し、そのままクリップを架空電線に沿って防護したい部分を覆うように移動させれば、中線用防具本体と外線用防具本体はガイド部材により動きがガイドされつつスムーズに伸長されることとなる。そして、所望の長さに達した段階で、開いていたクリップを閉じれば、中線および外線の所望の範囲を同時に覆うことが可能となる。このため、伸ばしたい側のクリップの移動量を調節することで、架空電線の覆いたい範囲を容易に調節することができるので、絶縁防護具の取り付け作業を一人でも行うことが可能となり、また、絶縁が必要となる電線の長さに応じて防具本体の伸長量を調節できるので、絶縁防護具が電線の長さに依存することがなくなる。
【００１０】
上述した伸縮式絶縁防護具の具体的態様としては、前記サイドアームを、前記挟持アームと一体に形成し、前記中線用防具本体を、一方のクリップの対をなす挟持アームと他方のクリップの対をなす挟持アームとの間に配設されて前記中線の周面を両側から覆う折り畳み可能な中線用シート部材によって構成し、前記外線用防具本体を、一方のクリップの一方のサイドアームと他方のクリップの一方のサイドアームとの間に配設されて前記外線の一方の周面を外側からのみ覆う折り畳み可能な第1の外線用シート部材と、前記一方のクリップの他方のサイドアームと前記他方のクリップの他方のサイドアームとの間に配設されて前記外線の他方の周面を外側からのみ覆う折り畳み可能な第２の外線用シート部材とによって構成するものが考えられる。
【００１１】
このような構成においては、サイドアームが挟持アームと一体に動くので、挟持アームによって中線を挟み込めば、中線用シート部材によって中線の周囲が覆われ、それと同時に第1及び第2の外線用シート部材によって外線が外側から覆われる。このため、隣り合う架空線の間（中線と外線との間）及び外線の外側には絶縁シートが配されることになるので、３線の周囲の絶縁状態を同時に確保することが可能となる。
【００１２】
また、他の態様としては、前記サイドアームを、これに隣接する挟持アームと共に外線を挟み込むものとし、前記中線用防具本体を、一方のクリップの対をなす挟持アームと他方のクリップの対をなす挟持アームとの間に配設されて前記中線の周面を両側から覆う折り畳み可能な中線用シート部材によって構成し、前記外線用防具本体を、一方のクリップの対をなすサイドアームの一方及びこれに隣接する一方の挟持アームと他方のクリップの対をなすサイドアームの一方及びこれに隣接する一方の挟持アームとの間に配設されて前記外線の一方の周面を両側から覆う折り畳み可能な第1の外線用シート部材と、一方のクリップの対をなすサイドアームの他方及びこれに隣接する他方の挟持アームと他方のクリップの対をなすサイドアームの他方及びこれに隣接する他方の挟持アームとの間に配設されて前記外線の他方の周面を両側から覆う折り畳み可能な第２の外線用シート部材とによって構成するようにしてもよい。
【００１３】
このような構成においては、中線が対をなす挟持アームによって、外線がサイドアームとこれに隣接する挟持アームとによって、それぞれ挟み込まれ、中線用シート部材によって中線の周囲が覆われ、それと同時に第1及び第2の外線用シート部材によって外線のそれぞれの周囲が覆われる。このため、各架空線の周囲には絶縁シートが配されることになるので、３線の周囲の絶縁状態を同時に確保することが可能となる。
【００１４】
なお、前記ガイド部材は、前記シート部材の表裏を縫うように挿通し、前記クリップの挟持アーム及びサイドアームに固定される複数の伸縮棒により構成し、防具本体のスムーズな動きを確保するようにしてもよい。
【発明の効果】
【００１５】
以上のように、本発明によれば、並設された３本の架空電線の中線を挟み込む対をなす挟持アームと、この対をなす挟持アームの外側に配置され、前記３本の架空電線の外線のそれぞれを外側からあてがう対をなすサイドアームとを備えた一対のクリップと、一対のクリップ間に配設され、中線の周面を両側から覆うように敷設される伸縮可能な絶縁性の中線用防具本体と、外線の周面を少なくとも外側から覆うように敷設される伸縮可能な絶縁性の外線用防具本体と、一対のクリップ間に設けられて防具本体の伸縮方向の動きをガイドする伸縮自在のガイド部材とを具備するようにしたので、３本の架空電線への防具の取り付け作業を一括して行うことができ、また、取り付ける電線の長さに応じて防具本体の長さを調節することが可能となる。このため、防護具の取り付け作業を一人行うことができ、また、効率的に行うことが可能となる。
また、伸縮棒などで構成されるガイド部材が設けられているので、防具本体の長さを調節するにあたり、防具本体のスムーズな動きを確保して容易に作業を行うことが可能となる。
【図面の簡単な説明】
【００１６】
【図１】図１は、本発明に係る伸縮式絶縁防護具の一例を示す斜視図である。
【図２】図２は、本発明に係る伸縮式絶縁防護具のクリップの構成例を示す平面図であり、（ａ）はクリップを閉じて３本の架空電線に取り付けた状態を示す図、（ｂ）はクリップを開いて架空電線への固定状態を解除した状態を示す図である。
【図３】図３は、本発明に係る伸縮式絶縁防護具のクリップと防具本体との関係を説明する斜視図である。
【図４】図４は、本発明に係る伸縮式絶縁防護具を架空電線（引下げ線）に取り付けた状態を示す図であり、（ａ）は、伸縮式絶縁防護具の防具本体を縮めた状態を示す図であり、（ｂ）は、伸縮式絶縁防護具の下端部のクリップを下方へ下げて防具本体を伸ばした状態を示す図である。
【図５】図５は、本発明に係る伸縮式絶縁防護具の他のクリップの構成例を示す平面図であり、（ａ）はクリップを閉じて３本の架空電線に取り付けた状態を示す図、（ｂ）はクリップを開いて架空電線への固定状態を解除した状態を示す図である。
【図６】図６は、活線作業を行うにあたり、高圧引下線の３線全部に従来の絶縁シートを取り付けた状態を示す図である。
【発明を実施するための形態】
【００１７】
以下、この発明の実施例を図面に基づいて説明する。
【００１８】
図１乃至図３において、本発明に係る伸縮式絶縁防護具の構成例が示されている。
この伸縮式絶縁防護具1は、並設された３本の架空電線である例えば、引下げ線１０２に取り付けられる一対のクリップ３，４と、前記一対のクリップ間に配設され、引下げ線１０２に沿わせて配設される伸縮可能な絶縁性の防具本体５と、一対のクリップ間に設けられて防具本体５の伸縮方向の動きをガイドするガイド部材６とによって構成されている。
【００１９】
一対のクリップ３，４のそれぞれは、例えば硬質のプラスチック材料などで形成されているもので、３本の引下げ線１０２の中線１０２ａを挟み込む対をなす挟持アーム１０，１１と、この対をなす挟持アーム１０，１１の外側に一体に形成され、引下げ線１０２の外線１０２ｂ，１０２ｃのそれぞれを外側からあてがうことが可能な対をなすサイドアーム１２，１３とを備えている。
【００２０】
この例において挟持アーム１０，１１のそれぞれは、直線状に形成され、先端部を内側に向けて突出させた形状をなし、また、サイドアーム１２，１３のそれぞれは、挟持アーム１０，１１の基端部から外側へ延設された拡張片１２ａ，１３ａとこの拡張片１２ａ，１３ａの先端から挟持アーム１０，１１と略平行に延設された当接片１２ｂ，１３ｂとを有し、この当接片１２ｂ，１３ｂの先端部を内側に突出させた形状をなしている。サイドアーム１２，１３の当接片１２ｂ，１３ｂとこれに隣接する挟持アーム１０，１１のそれぞれの内側面の距離は、隣り合う引下げ線の間隔（約１５ｃｍ）に略等しく形成されており、サイドアーム１２，１３は、挟持アーム１０，１１の変位に伴って一体に変位するようになっている。
したがって、中線１０２ａを挟持アーム１０，１１で挟み込んだ状態においては、外線１０２ｂ、１０２ｃのそれぞれに外側からサイドアーム１２，１３があてがわれることなる（サイドアーム１２，１３が外線１０２ｂ、１０２ｃに当接されるようになる）。
【００２１】
それぞれの挟持アーム１０，１１は、基端側が軸１５によって連結され、この軸１５よりも基端側に操作部１６，１７が一体に形成されている。操作部１６，１７は、挟持アーム１０，１１が閉方向に動くと開方向に動くようになっており、軸１５には、図示しないコイルばねが弾装され、このコイルばねの両端部がそれぞれ操作部１６，１７の内側に延在しており、これにより操作部１６，１７は、常時離反する方向に付勢され、また、対をなす挟持アーム１０，１１は、互いに接近する方向に常時付勢されている。なお、操作部１６，１７の互いに反対を向く外面には、ヤットコ等の間接活線把持具で把持される平坦なグリップ面１６ａ，１７ａが形成されている。
【００２２】
各挟持アーム１０，１１は、この例においては、断面略矩形状に形成されており、各挟持アームの先端部には、軸１５と平行をなす貫通孔１０ａ，１１ａがそれぞれ穿設されている。また、各サイドアーム１２，１３も、この例においては、断面略矩形状に形成されており、各サイドアーム１２，１３の当接片１２ｂ，１３ｂの先端部および基端部には、軸１５と平行をなす貫通孔１２ｃ，１２ｄ，１３ｃ，１３ｄがそれぞれ穿設されている。
【００２３】
ガイド部材６は、この例では、伸縮棒２６によって構成されているもので、クリップ４，５に設けられた前記貫通孔１０ａ，１１ａ，１２ｃ，１２ｄ，１３ｃ，１３ｄに挿着固定され、この例では、径を徐々に大きくした小筒状体２６ａ、中筒状体２６ｂ、大筒状体２６ｃを順次摺接可能に重ね合わせた三重筒構造に形成されている。それぞれの筒状体は、ほぼ同じ長さに形成され、隣合う筒状体は、外側にくる筒状体に図示しないスリットが形成され、内側にくる筒状体にこのスリットに摺動可能に挿入されるピンが外周に形成されて、筒状体の抜けが防止されている。
【００２４】
一方のクリップ３の対をなす挟持アーム１０，１１と他方のクリップ４の対をなす挟持アーム１０，１１は、互いの対応する貫通孔１０ａ，１１ａに固定された一対の伸縮棒２６−１，２６−２により連結され、また、一方のクリップ３の対をなすサイドアーム１２，１３と他方のクリップ４の対をなすサイドアーム１２，１３は、互いの対応する貫通孔１２ｃ，１２ｄ，１３ｃ，１３ｄに固定された伸縮棒２６−３，２６−４，２６−５，２６−６により連結されている。
【００２５】
防具本体５は、中線１０２ａに沿って伸縮可能である絶縁性の布、合成樹脂等で構成された中線用防具本体５ａと、外線１０２ｂ、１０２ｃに沿って伸縮可能である絶縁性の布、合成樹脂等で構成された外線用防具本体５ｂとによって構成されている。
【００２６】
中線用防具本体５ａは、一方のクリップ３の対をなす挟持アーム１０，１１と他方のクリップ４の対をなす挟持アーム１０，１１との間に配設されて前記中線１０２ａに沿った方向に折り畳み可能な中線用シート部材２０によって構成されているもので、全体が挟持アーム１０，１１の基端側で折り返すように２つ折り状に形成され、一方のクリップ３の対をなす挟持アームと他方のクリップ４の対をなす挟持アームとを連結する一対の伸縮棒２６ｂ−１，２６ｂ−２の両端部近傍に、中線用シート部材２０の対応する端部がマジックテープ（登録商標）等によって固定され、伸縮棒２６ｂ−１，２６ｂ−２を、シートに設けられたハトメ孔２０ａを介して表裏を縫うように貫通させ、伸縮棒２６−１，２６−２の伸縮に伴って中線用シート部材２０を伸縮させるようにしている。
【００２７】
外線用防具本体５ｂは、前記外線の周面を外側から覆うように敷設されているもので、一方のクリップ３の一方のサイドアーム１２と他方のクリップ４の一方のサイドアーム１２との間に配設されて外線１０２ｂに沿った方向に折り畳み可能な第1の外線用シート部材２１と、一方のクリップ３の他方のサイドアーム１３と前記他方のクリップ４の他方のサイドアーム１３との間に配設されて外線１０２ｃに沿った方向に折り畳み可能な第２の外線用シート部材２２とによって構成されている。
【００２８】
第１の外線用シート部材２１は、一方のクリップ３の一方のサイドアーム１２と他方のクリップ４の一方のサイドアーム１２とを連結する伸縮棒２６ｂ−３，２６ｂ−４の両端部近傍に、マジックテープ（登録商標）等によって固定されており、この一対の伸縮棒２６ｂ−３，２６ｂ−４を、シート部材に設けられたハトメ孔２１ａを介して表裏を縫うように貫通させ、伸縮棒２６ｂ−３，２６ｂ−４の伸縮に伴って第1の外線用シート部材２１を伸縮させるようにしている。
【００２９】
また、第２の外線用シート部材２２は、一方のクリップ３の他方のサイドアーム１３と他方のクリップ４の他方のサイドアーム１３とを連結する一対の伸縮棒２６ｂ−５，２６ｂ−６の両端部近傍に、マジックテープ（登録商標）等によって固定されており、この一対の伸縮棒２６ｂ−５，２６ｂ−６を、シート部材に設けられたハトメ孔２２ａを介して表裏を縫うように貫通させ、伸縮棒２６ｂ−５，２６ｂ−６の伸縮に伴って第２の外線用シート部材２２を伸縮させるようにしている。
【００３０】
したがって、それぞれのクリップ３，４を開いて対をなす挟持アーム１０，１１のそれぞれを中線１０２ａとそれぞれの外線１０２ｂ，１０２ｃの間に挿入し、サイドアーム１２，１３を外線１０２ｂ，１０２ｃのさらに外側に位置させ、その状態で中線１０２ａをクリップ３，４で挟み込めば、中線１０２ａは、中線用シート部材２０により周囲が覆われて防護されることになり、また、外線１０２ｂ，１０２ｃは、外線用シート部材２１，２２により周面が外側から覆われて防護されることになる。そして、一対のクリップ３，４の間隔を広げることにより、図１に示されるように、伸縮棒２６ｂ−１〜２６ｂ−６が伸長すると共に、これに固定されたシート部材２０，２１，２２が伸長し、引下げ線１０２を覆う範囲が長くなる。また、一対のクリップ３，４の間隔を狭めれば（一対のクリップ３，４を互いに近接させれば）、伸縮棒２６ｂ−１〜２６ｂ−６が収縮すると共に、これに固定されているシート部材２０，２１，２２も収縮することとなる。
【００３１】
以上の構成において、引き下げ線１０２の３線に絶縁防護具１を取り付ける場合には、防具本体５を縮めた状態にして上側のクリップ３の操作部１０ｂ，１１ｂをヤットコ等の間接活線把持具で把持し、クリップ３を開いた状態にして引下げ線１０２の上端部へ近づけ、防具本体５を引下げ線１０２に沿わせつつ、引下げ線１０２の中線１０２ａを対をなす挟持アーム１０，１１の間に挿入するように、挟持アーム１０，１１のそれぞれを中線１０２ａと外線１０２ｃ，１０２ｃとの間に挿入し、外線１０２ｂ，１０ｃを挟持アーム１０，１１とサイドアーム１２，１３との間に位置させ、その状態でクリップ３を閉じる。同様に、下側のクリップ４の操作部１０ｂ、１１ｂを把持して開き、引下げ線１０２に取り付ける。
これにより、中線１０２ａの周囲に中線用シート部材２０が取り付けられ（中線用シート部材２０の内側に中線１０２ａが側方から差し入れられ）、外線１０２ｂ、１０２ｃの外側に外線用シート部材２１，２２があてがわれ、図４（a）に示されるような状態が形成される。
【００３２】
その後、下側のクリップ４の操作部１０ｂ、１１ｂを把持して挟持アーム１０，１１による中線１０２ａの挟持状態を解除し、下側のクリップ４を下方へ引き下げると、図４（ｂ）に示されるように、上側のクリップ３の位置は固定されたまま、防具本体５（シート部材２０，２１，２２）がガイド部材６（伸縮棒２６−１〜２６−６）にガイドされつつ伸長して３本の引下げ線１０２を同時に覆うことが可能となり、下側のクリップ４の固定位置を調整することで、引下げ線１０２の任意の範囲を絶縁防護することが可能となる。
【００３３】
また、絶縁防護具１を引下げ線１０２から取り外す場合には、上側または下側のクリップ３，４を間接活線把持具で把持して一方のクリップを開き、その状態でそのクリップを他方のクリップに向かって動かせば、防具本体５（シート部材２０，２１，２２）がガイド部材６（伸縮棒２６−１〜２６−６）にガイドされつつ収縮され、その状態で、一方のクリップを操作部を把持して（挟持アーム１０，１１を開いて）防具本体５と共に引下げ線１０２から取り外し、その後、他方のクリップを操作部を把持して（挟持アーム１０，１１を開いて）防具本体５と共に引下げ線１０２から取り外せば、絶縁防護具１の取り外しは完了する。
【００３４】
したがって、伸ばしたい側のクリップ３，４を移動させることで、引下げ線１０２の３線を同時に覆うことができるので、絶縁防護具１の取り付け作業を一人でも容易に行うことが可能となり、また、絶縁が必要となる電線の長さに応じて防具本体５の伸長量を調節することが可能となるので、絶縁防護具１が電線の長さに依存することがなくなる。このため、それぞれの引下げ線１０２を個別に防護する必要がなくなることから、効率的に作業を行うことが可能となる。
【００３５】
以上の構成においては、クリップ３，４の挟持アーム１０，１１とサイドアーム１２，１３とを一体に形成して、サイドアーム１２，１３を挟持アーム１０，１１と一体に動かし、中線１０２ａのみを挟持アーム１０，１１で挟持し、外線１０２ｂ，１０２ｃはサイドアーム１２，１３によって外側からのみあてがう構成であったが、図５に示されるように、挟持アーム１０，１１とサイドアーム１２，１３との間でも外線１０２ｂ、１０２ｃを挟持し、引下げ線の３線を同時に挟持するようにしてもよい。
【００３６】
このクリップ３，４は、中線１０２ａを挟み込む対をなす挟持アーム１０，１１が、所定の厚みを持って、且つ、基端側から先端側へ向かうにつれて徐々に巾広に形成され、基端部に設けられた蝶番３１により開閉自在に連結されると共に、この蝶番３１よりも先端側に引っ張りコイルバネ４１を設けて対をなす挟持アーム１０，１１を互いに近接させる方向へ常時付勢するようにしている。
【００３７】
サイドアーム１２，１３は、挟持アーム１０，１１の外側に配され、挟持アーム１０，１１と同程度の厚みに形成されているもので、基端部において挟持アーム１０，１１との間に設けられた蝶番３２，３３により挟持アーム１０，１１とサイドアーム１２，１３とが開閉自在に連結され、また、蝶番３２，３３よりも先端側に引っ張りゴイルバネ４２，４３を設けて挟持アーム１０，１１とサイドアーム１２，１３とを相互に近接させる方向へ常時付勢するようにしている。
【００３８】
この例において、サイドアーム１２，１３の基端側には、操作部１６，１７が一体に形成されている。一対の操作部１６，１７は、サイドアーム１２，１３が閉方向に動くと開方向に動くようになっており、前記引っ張りコイルバネ４１，４２，４３により、操作部１６，１７は、常時離反する方向に付勢されている。また、操作部１６，１７の互いに反対を向く外面には、ヤットコ等の間接活線把持具で把持される平坦なグリップ面１６ａ，１７ａが形成されている。
【００３９】
なお、挟持アーム１０，１１の先端は、引下げ線間への挿入を容易にするために、先細りに形成され、また、サイドアーム１２，１３の先端は、挟持された引下げ線（外線１０２ｂ、１０２ｃ）が不用意に外れることを防止するために内側に突出されている。
【００４０】
また、各挟持アーム１０，１１の先端部には、伸縮棒２６−１，２６−２が挿着する貫通孔１０ａ，１１ｂが穿設され、また、各サイドアーム１２，１３の先端部にも、伸縮棒２６−３，２６−５が挿着する貫通孔１２ｃ，１３ｃが穿設されている。
【００４１】
この例において、中線用防具本体５ａは、一方のクリップ３の対をなす挟持アーム１０，１１と他方のクリップ４の対をなす挟持アーム１０，１１との間に配設されて中線１０２ａに沿った方向に折り畳み可能な中線用シート部材２０によって構成されているもので、前記構成例と同様に、全体が挟持アーム１０，１１の基端側で折り返すように２つ折り状に形成され、一方のクリップ３の対をなす挟持アーム１０，１１と他方のクリップ４の対をなす挟持アーム１０，１１とを連結する一対の伸縮棒２６ｂ−１，２６ｂ−２の両端部近傍に、中線用シート部材２０の対応する端部がマジックテープ（登録商標）等によって固定され、伸縮棒２６ｂ−１，２６ｂ−２を、シートに設けられたハトメ孔を介して表裏を縫うように貫通させ、伸縮棒２６−１，２６−２の伸縮に伴って中線用シート部材２０を伸縮させるようにしている。
【００４２】
また、外線用防具本体５ｂは、外線１０２ｂ、１０２ｃの周面を両側から覆うように敷設されているもので、一方のクリップ３の対をなすサイドアームの一方１２及びこれに隣接する一方の挟持アーム１０と他方のクリップ４の対をなすサイドアームの一方１２及びこれに隣接する一方の挟持アーム１０との間に配設されて、外線１０２ｂに沿った方向に折り畳み可能な第１の外線用シート部材２１と、一方のクリップ３の対をなすサイドアームの他方１３及びこれに隣接する他方の挟持アーム１１と他方のクリップ４の対をなすサイドアームの他方１３及びこれに隣接する他方の挟持アーム１１との間に配設されて、外線１０２ｃに沿った方向に折り畳み可能な第２の外線用シート部材２２とにより構成されている。
【００４３】
第１の外線用シート部材２１は、全体が挟持アーム１０及びサイドアーム１２の基端側で折り返すように２つ折り状に形成され、伸縮棒２６ｂ−１，２６ｂ−３の両端部近傍に、両側縁部の対応する端部がマジックテープ（登録商標）等によって固定され、伸縮棒２６ｂ−１，２６ｂ−３を、このシート部材に設けられたハトメ孔を介して表裏を縫うように貫通させ、伸縮棒２６−１，２６−３の伸縮に伴って伸縮させるようにしている。
また、第２の外線用シート部材２２も、全体が挟持アーム１１及びサイドアーム１３の基端側で折り返すように２つ折り状に形成され、伸縮棒２６ｂ−２，２６ｂ−５の両端部近傍に、両側縁部の対応する端部がマジックテープ（登録商標）等によって固定され、伸縮棒２６ｂ−２，２６ｂ−５を、このシート部材に設けられたハトメ孔を介して表裏を縫うように貫通させ、伸縮棒２６−２，２６−５の伸縮に伴って伸縮させるようにしている。
なお、伸縮棒等の他の構成は前記構成例と同様である。
【００４４】
このような構成においても、引下げ線１０２に絶縁防護具１を取り付ける場合には、防具本体５を縮めた状態にしてクリップ３，４により絶縁防護具１を引下げ線１０２の上部に取り付け、下側のクリップ４をヤットコ等の間接活線把持具で把持して挟持状態を解除し（挟持アーム１０，１１を開き）、その状態で下方へ移動させれば、上側のクリップ３の位置が保たれたまま防具本体５が伸長すると共に伸縮棒２６−１，２６−２，２６−３，２６−５が伸長し、３線の引下げ線１０２の所望範囲を同時に覆うことが可能となり、前記構成例と同様の作用、効果を得ることが可能となる。
【００４５】
特にこのような構成においては、対をなす挟持アーム１０，１１が先端側へ向かうにつれて巾広となっているが先端部は先細りとなっているので、挟持アーム１０，１１は、電線間への挿入時に操作部１６，１７の把持力を調整しながら（挟持アーム１０，１１の開き具合を調整しながら）押し込むことで挿入することができ、また、一旦挿入した後は、隣り合う挟持アーム１０，１１間への中線１０２ａの挿入量を調節することで、３線を同時に挟持したり挟持状態を解除したりすることができ、また、挟持アーム１０，１１が先端側に向かうにつれて巾広であり、また、サイドアーム１２，１３の先端部が内側に向けて突出しているので、引下げ線から外れにくくすることが可能となる。
【００４６】
なお、上述の構成例においては、引下げ線１０２に伸縮式絶縁防護具１を設けた例を示したが、高圧架線などの他の架空電線に対しても同様に採用することが可能である。
【符号の説明】
【００４７】
１  伸縮式絶縁防護具
２  架空電線
３，４  クリップ
５  防具本体
６  ガイド部材
１０，１１  挟持アーム
１２，１３  サイドアーム
２０  中線用シート部材
２１，２２  外線用シート部材
２６−１〜１６−６  伸縮棒
１０２  引下げ線
１０２ａ  中線
１０２ｂ、１０２ｃ  外線
【要約】
【課題】３本の架空電線への防具の取り付け作業を一括して行うことができ、取り付ける電線の長さに応じて防具本体の長さを調節することが可能な伸縮式絶縁防護具を提供する。
【解決手段】伸縮式絶縁防護具１を、３本の架空電線の中線を挟み込む対をなす挟持アーム１０，１１と、この対をなす挟持アームの外側に配置され、外線のそれぞれを外側からあてがう対をなすサイドアーム１２，１３とを備えた一対のクリップ３，４と、一対のクリップ間に配設され、中線の周面を両側から覆うように敷設されて中線に沿って伸縮可能である絶縁性の中線用防具本体５ａと、外線の周面を少なくとも外側から覆うように敷設されて外線に沿って伸縮可能である絶縁性の外線用防具本体５ｂと、一対のクリップ間に設けられて防具本体の伸縮方向の動きをガイドする伸縮自在のガイド部材６とによって構成する。
【選択図】  図１【図１】
0005456122.tif 000002
【図２】
0005456122.tif 000003
【図３】
0005456122.tif 000004
【図４】
0005456122.tif 000005
【図５】
0005456122.tif 000006
【図６】
0005456122.tif 000007